(57)【要約】【課題】患者が楽しみながら認知症の改善を支援する認知症改善装置を提供する。【解決手段】認知症改善装置１００は、患者の自宅１２０またはリハビリセンター１４０と通信するための通信部１０１と、神経心理検査の結果１１０の入力を受け付ける入力部１０２と、患者の歌唱能力を評価するための能力段階評価部１０３と、神経心理検査の結果１１０と歌唱能力の評価結果に基づいて患者用の歌唱メニューを作成するメニュー作成部１０４と、検査結果を格納するための検査結果データベース１０５と、患者の情報を格納するための個人データベース１０６と、歌唱メニューのテンプレートおよび作成されたメニューを格納するためのメニューデータベース１０７と、配信対象として予め準備された楽曲を格納するための楽曲データベース１０８とを備える。【選択図】図１
2015051124.tif 000002
【特許請求の範囲】
【請求項１】
認知症の改善を支援するための装置であって、
ユーザの要求に応じて、第１の場所に配置される第１の音声入出力装置、或いは、第２の場所に配置される第２の音声入出力装置の少なくとも何れかに楽曲を配信するための配信手段と、
前記第１の音声入出力装置に配信される楽曲に合わせてユーザが歌唱することにより発せられる第１音声と、第２の場所に配信される楽曲に合わせてユーザが歌唱することにより発せられる第２音声とを収集するための収集手段と、
配信される楽曲に対する前記ユーザの歌唱力を評価するために予め規定された評価基準を保持するための記憶手段と、
前記評価基準と前記第１音声および前記第２音声とに基づいて、前記楽曲に対する前記ユーザの歌唱力を評価するための評価手段と、
前記ユーザの神経心理検査の結果の入力を受け付ける入力手段と、
前記神経心理検査の結果の変化の有無に応じて、前記評価の結果に基づいて、楽曲のデータベースから、前記ユーザが歌唱するべき別の楽曲を選択するための選択手段とを備え、
前記配信手段は、前記選択された別の楽曲を前記第１の音声入出力装置および前記第２の音声入出力装置に配信する、認知症の改善を支援するための装置。
【請求項２】
前記第１の音声入出力装置に配信される楽曲と、前記第２の音声入出力装置に配信される楽曲とは、異なる、請求項１に記載の装置。
【請求項３】
前記評価基準は、音域および音程を含み、
前記神経心理検査の結果の変化が認められる場合に、前記選択手段は、前記音域および音程に基づいて、前記別の楽曲を選択する、請求項１または２に記載の装置。
【請求項４】
前記楽曲のデータベースは、
ユーザの世代、性別に応じて予め分類された第１分類の楽曲と、
一人による歌唱のための楽曲、デュエットのための楽曲、または合唱のための楽曲として分類される第２分類の楽曲とのいずれかを含む、請求項１〜３のいずれか１項に記載の装置。
【請求項５】
前記神経心理検査の項目は、記憶検査と、注意力検査と、行動心理障害検査（ＢＰＳＤ（Behavioral  and  Psychological  Symptoms  of  Dementia））とを含み、
前記記憶検査の結果は、前記第１分類の楽曲に関連付けられており、
前記注意力検査の結果は、前記第２分類の楽曲に関連付けられており、
前記行動心理障害検査の結果は、穏やかで明るい曲を選曲することに、または、楽曲を静かな曲調の楽曲に編曲することに関連付けられている、請求項４に記載の装置。
【請求項６】
前記楽曲は、カラオケの楽曲を含む、請求項１から５のいずれか１項に記載の装置。
【請求項７】
認知症の改善を支援するための方法であって、
コンピュータのプロセッサが、ユーザの要求に応じて、通信回線を介して、第１の場所に配置される第１の音声入出力装置、或いは、第２の場所に配置される第２の音声入出力装置の少なくともいずれかに楽曲を配信するステップと、
前記プロセッサが、通信回線を介して、前記第１の音声入出力装置に配信される楽曲に合わせてユーザが歌唱することにより発せられる第１音声と、第２の場所に配信される楽曲に合わせてユーザが歌唱することにより発せられる第２音声とを収集するステップと、
前記プロセッサが、配信される楽曲に対する前記ユーザの歌唱力を評価するために予め規定された評価基準を当該コンピュータのメモリにロードするステップと、
前記プロセッサが、前記評価基準と前記第１音声および前記第２音声とに基づいて、前記楽曲に対する前記ユーザの歌唱力を評価するステップと、
前記プロセッサが、前記ユーザの神経心理検査の結果の入力を受け付けるステップと、
前記プロセッサが、前記神経心理検査の結果の変化の有無に応じて、前記評価の結果に基づいて、楽曲のデータベースから、前記ユーザが歌唱するべき別の楽曲を選択するステップと、
前記プロセッサが、前記選択された別の楽曲を前記第１の音声入出力装置および前記第２の音声入出力装置に配信するステップとを含む、認知症の改善を支援するための方法。
【請求項８】
認知症の改善を支援するための方法をコンピュータに実現させるためのプログラムであって、前記プログラムは、前記コンピュータのプロセッサに、
通信回線を介して、第１の場所に配置される第１の音声入出力装置、或いは、第２の場所に配置される第２の音声入出力装置の少なくともいずれかに楽曲を配信するステップと、
通信回線を介して、前記第１の音声入出力装置に配信される楽曲に合わせてユーザが歌唱することにより発せられる第１音声と、第２の場所に配信される楽曲に合わせてユーザが歌唱することにより発せられる第２音声とを収集するステップと、
前記同一の楽曲に対する前記ユーザの歌唱力を評価するために予め規定された評価基準を当該コンピュータのメモリにロードするステップと、
前記評価基準と前記第１音声および前記第２音声とに基づいて、前記楽曲に対する前記ユーザの歌唱力を評価するステップと、
前記ユーザの神経心理検査の結果の入力を受け付けるステップと、
前記神経心理検査の結果の変化の有無に応じて、前記評価の結果に基づいて、楽曲のデータベースから、前記ユーザが歌唱するべき別の楽曲を選択するステップと、
前記選択された別の楽曲を前記第１の音声入出力装置および前記第２の音声入出力装置に配信するステップとを実行させる、プログラム。
【発明の詳細な説明】
【技術分野】
【０００１】
本開示は認知症の改善を支援する技術に関し、より特定的には、楽曲を用いて認知症の改善を支援する技術に関する。
【背景技術】
【０００２】
従来、認知症の改善のための装置が提案されている。たとえば、ＷＯ２００７／１２９３９２号公報（特許文献１）は、失語症の回復を支援するための「主機と副機を有する失語症練習支援装置」を開示している。
【０００３】
また、特開２０００−２６８１１８号公報（特許文献２）は、在宅患者にも利用できる痴呆リハビリシステムを開示している。当該痴呆リハビリシステムによると、「リハビリ制御装置はリハビリサーバ装置に予め記憶された訓練用アプリケーションおよびデータを構内通信回線を経由して受信し、該アプリケーションおよびデータにより訓練を実行する」というものである（［要約］の［課題］参照）。
【先行技術文献】
【特許文献】
【０００４】
【特許文献１】ＷＯ２００７／１２９３９２号公報
【特許文献２】特開２０００−２６８１１８号公報
【発明の概要】
【発明が解決しようとする課題】
【０００５】
しかしながら、特許文献１に開示された技術によると、脳機能を回復させるために絵データが用いられる。この場合、患者によっては、単純な絵データでは、訓練自体が単調になるため興趣を欠き、結果として、訓練が長続きしないという問題がある。
【０００６】
また、特許文献２に開示された技術によると、リハビリ訓練のためのメニューが連続性を欠くため、訓練の内容によっては効果が得られない可能性もある。また、認知症の診断結果に基づきリハビリ訓練のためのメニューを変更し、認知症を改善させるなどの積極的な活用方法は開示されていない。したがって、訓練が長続きして改善の効果が得られる技術が必要とされている。
【０００７】
この開示は、上述のような問題点を解決するためになされたものであって、ある局面における目的は、リハビリ訓練が長続きするように認知症の改善を支援するための装置を提供することである。他の局面における目的は、リハビリ訓練が長続きするように認知症の改善を支援するための方法を提供することである。さらに他の局面における目的は、リハビリ訓練が長続きするように認知症の改善を支援するための方法をコンピュータに実現させるためのプログラムを提供することである。
【課題を解決するための手段】
【０００８】
一実施の形態に従うと、認知症の改善を支援するための装置が提供される。この装置は、ユーザの要求に応じて、第１の場所に配置される第１の音声入出力装置、或いは、第２の場所に配置される第２の音声入出力装置の少なくとも何れかに楽曲を配信するための配信手段と、第１の音声入出力装置に配信される楽曲に合わせてユーザが歌唱することにより発せられる第１音声と、第２の場所に配信される楽曲に合わせてユーザが歌唱することにより発せられる第２音声とを収集するための収集手段と、配信される楽曲に対するユーザの歌唱力を評価するために予め規定された評価基準を保持するための記憶手段と、評価基準と第１音声および第２音声とに基づいて、楽曲に対するユーザの歌唱力を評価するための評価手段と、ユーザの神経心理検査の結果の入力を受け付ける入力手段と、神経心理検査の結果の変化の有無に応じて、評価の結果に基づいて、楽曲のデータベースから、ユーザが歌唱するべき別の楽曲を選択するための選択手段とを備える。配信手段は、選択された別の楽曲を第１の音声入出力装置および第２の音声入出力装置に配信する。
【０００９】
好ましくは、第１の音声入出力装置に配信される楽曲と、第２の音声入出力装置に配信される楽曲とは、異なる。
【００１０】
好ましくは、評価基準は、音域および音程を含む。神経心理検査の結果の変化が認められる場合に、選択手段は、音域および音程に基づいて、別の楽曲を選択する。
【００１１】
好ましくは、楽曲のデータベースは、ユーザの世代、性別に応じて予め分類された第１分類の楽曲と、一人による歌唱のための楽曲、デュエットのための楽曲、または合唱のための楽曲として分類される第２分類の楽曲とのいずれかを含む。
【００１２】
好ましくは、神経心理検査の項目は、記憶検査と、注意力検査と、行動心理障害検査（ＢＰＳＤ（Behavioral  and  Psychological  Symptoms  of  Dementia））とを含む。記憶検査の結果は、第１分類の楽曲に関連付けられている。注意力検査の結果は、第２分類の楽曲に関連付けられている。行動心理障害検査の結果は、穏やかで明るい曲を選曲することに、または、楽曲を静かな曲調の楽曲に編曲することに関連付けられている。
【００１３】
好ましくは、楽曲は、カラオケの楽曲を含む。
他の実施の形態に従うと、認知症の改善を支援するための方法が提供される。この方法は、コンピュータのプロセッサが、ユーザの要求に応じて、通信回線を介して、第１の場所に配置される第１の音声入出力装置、或いは、第２の場所に配置される第２の音声入出力装置の少なくともいずれかに楽曲を配信するステップと、プロセッサが、通信回線を介して、第１の音声入出力装置に配信される楽曲に合わせてユーザが歌唱することにより発せられる第１音声と、第２の場所に配信される楽曲に合わせてユーザが歌唱することにより発せられる第２音声とを収集するステップと、プロセッサが、配信される楽曲に対するユーザの歌唱力を評価するために予め規定された評価基準を当該コンピュータのメモリにロードするステップと、プロセッサが、評価基準と第１音声および第２音声とに基づいて、楽曲に対するユーザの歌唱力を評価するステップと、プロセッサが、ユーザの神経心理検査の結果の入力を受け付けるステップと、プロセッサが、神経心理検査の結果の変化の有無に応じて、評価の結果に基づいて、楽曲のデータベースから、ユーザが歌唱するべき別の楽曲を選択するステップと、プロセッサが、選択された別の楽曲を第１の音声入出力装置および第２の音声入出力装置に配信するステップとを含む。
【００１４】
さらに他の実施の形態に従うと、認知症の改善を支援するための方法をコンピュータに実現させるためのプログラムが提供される。このプログラムは、コンピュータのプロセッサに、通信回線を介して、第１の場所に配置される第１の音声入出力装置、或いは、第２の場所に配置される第２の音声入出力装置の少なくともいずれかに楽曲を配信するステップと、通信回線を介して、第１の音声入出力装置に配信される楽曲に合わせてユーザが歌唱することにより発せられる第１音声と、第２の場所に配信される楽曲に合わせてユーザが歌唱することにより発せられる第２音声とを収集するステップと、同一の楽曲に対するユーザの歌唱力を評価するために予め規定された評価基準を当該コンピュータのメモリにロードするステップと、評価基準と第１音声および第２音声とに基づいて、楽曲に対するユーザの歌唱力を評価するステップと、ユーザの神経心理検査の結果の入力を受け付けるステップと、神経心理検査の結果の変化の有無に応じて、評価の結果に基づいて、楽曲のデータベースから、ユーザが歌唱するべき別の楽曲を選択するステップと、選択された別の楽曲を第１の音声入出力装置および第２の音声入出力装置に配信するステップとを実行させる。
【００１５】
ある局面によれば、リハビリ訓練が長続きすることにより、当該患者の認知症の改善に寄与し得る。
【００１６】
この発明の上記および他の目的、特徴、局面および利点は、添付の図面と関連して理解されるこの発明に関する次の詳細な説明から明らかとなるであろう。
【図面の簡単な説明】
【００１７】
【図１】認知症改善装置１００の構成を表わすブロック図である。
【図２】メニューが作成される一連の流れを表わす図である。
【図３】認知症改善装置１００を用いて認知症患者のトレーニングを行なう場合に用いられる処理を表わすフローチャートである。
【図４】認知症改善装置１００として機能するコンピュータのハードウェア構成を表わすブロック図である。
【図５】認知症改善装置１００によって実現される機能の構成を表わすブロック図である。
【図６】認知症改善装置１００の個人データベース１０６におけるデータの格納の一態様を概念的に表わす図である。
【図７】楽曲データベース１０８の構成を表わす図である。
【図８】テレビ８１０とカラオケ装置８５０とを表わす図である。
【図９】認知症改善装置１００が実行する処理の一部を表わすフローチャートである。
【図１０】患者の脳の断層画像を表す図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
［技術思想］
図１を参照して、本実施の形態に係る認知症改善装置１００の技術思想について説明する。図１は、認知症改善装置１００の構成を概念的に表わすブロック図である。
【００１９】
図１に示されるように、認知症改善装置１００は、ネットワーク１３０を介して患者の自宅１２０に接続される。また、認知症改善装置１００は、ネットワーク１５０を介して、リハビリセンター１４０に接続されている。認知症改善装置１００は、通信部１０１と、入力部１０２と、能力段階評価部１０３と、メニュー作成部１０４と、検査結果データベース１０５と、個人データベース１０６と、メニューデータベース１０７と、楽曲データベース１０８とを備える。
【００２０】
ある局面において、通信部１０１は、ネットワーク１３０を介して患者の自宅１２０に設置されるコンピュータその他の通信装置（図示しない）と通信する。また、別の局面において、通信部１０１は、ネットワーク１５０を介してリハビリセンター１４０に設置されるコンピュータその他の通信装置（図示しない）と通信する。これらの通信装置は、カラオケ装置を含む。
【００２１】
入力部１０２は、他のコンピュータその他の情報処理装置に接続されて、認知症改善装置１００に対するデータの入力を受け付ける。入力部１０２には、たとえば、神経心理検査の結果１１０が入力される。入力された神経心理検査の結果１１０は、検査結果データベース１０５に格納される。
【００２２】
能力段階評価部１０３は、各患者について、カラオケの楽曲の歌唱についての能力評価を実行し、当該患者がどのレベルにあるかを評価する。この能力評価は、たとえば、音程および音域に基づいて行なわれる。より具体的には、楽曲ごとに、標準の音域および音程が予め規定されている。患者の能力評価は、当該患者の歌唱によって取得された音声データから抽出される当該楽曲の音域および音程と、標準の音域および音程との差に応じて行なわれる。能力を示すレベルとして、たとえば、３段階または５段階のように、複数のレベルが、楽曲の音域および音程に基づいて規定され得る。
【００２３】
メニュー作成部１０４は、各患者について、カラオケの楽曲を用いた歌唱のトレーニングメニューを作成する。トレーニングメニューは、たとえば、カラオケ課題とピッチ課題とを含む。カラオケ課題は、トレーニング用の楽曲データベースから選択されたカラオケを演奏に合わせて歌唱するものであり、患者の自宅１２０あるいはリハビリセンター１４０に設置されるカラオケ装置を用いて行なわれる。ピッチ課題は、カラオケ装置から聞こえてくる音と同じ音で発声するものである。メニュー作成部１０４は、選択されたカラオケの楽曲と、ピッチ課題用の音声とを組み合わせて、患者ごとにリハビリ用メニューを作成する。
【００２４】
検査結果データベース１０５は、たとえば、リレーショナルデータベース形式で実現されるが、データベースの形式は特定の形式に限られない。認知症改善装置１００の外部に検査結果データベース１０５が設けられてもよい。検査結果データベース１０５は、たとえば、患者の氏名、ユーザＩＤ（Identification）、検査結果を定量的または定性的に示したデータ、神経心理検査が行われた日付等を含む。
【００２５】
個人データベース１０６は、認知症改善装置１００による認知症の改善支援を受ける各患者の情報を登録している。患者の情報は、たとえば、当該患者の氏名、ユーザＩＤ、年齢、性別、教育年数、認知症の程度、能力段階評価部１０３によって評価された能力のレベル等を含むが、これらに限られない。他の既往症その他の情報が、当該患者の情報に含まれていてもよい。
【００２６】
メニューデータベース１０７は、予め作成された１つ以上のリハビリメニューを含む。リハビリメニューは、認知症の程度および歌唱能力に応じて予め作成された歌唱プログラムのテンプレートを含む。このテンプレートは、たとえば、カラオケ課題とピッチ課題とを含む。一例として、このテンプレートは、複数のピッチ課題と複数のカラオケ課題からなり、各ピッチ課題と各カラオケ課題がどのような順番でどの程度の時間行なわれるべきかを規定している。メニュー作成部１０４は、このようなテンプレートに対して、カラオケの楽曲を選択して、カラオケ課題で用いられるべき楽曲として、テンプレートとその楽曲とを関連付ける。
【００２７】
楽曲データベース１０８は、トレーニング用のメニューに用いられる複数の楽曲を保持している。複数の楽曲は、たとえば、童謡、民謡、歌謡曲、流行歌等を含む。なお、各楽曲の音声データは、認知症改善装置１００の外部に保存されていてもよい。
【００２８】
［メニュー作成］
図２を参照して、神経心理検査に基づくメニュー作成について説明する。図２は、メニューが作成される一連の流れを表わす図である。当該一連の流れは、患者２００と、神経心理検査２１０と、プログラム２２０とを含む。プログラム２２０は、たとえば、モジュール２３０，２４０，２５０とを含む。
【００２９】
ある局面において、患者２００は、予め定められた神経心理検査２１０によって評価される。神経心理検査２１０の項目として、たとえば、記憶、注意、意欲、ＢＰＳＤ（Behavioral  and  Psychological  Symptoms  of  Dementia：行動・心理障害）などを含む。神経心理検査２１０の結果は、プログラム２２０に入力される。
【００３０】
プログラム２２０において、モジュール２３０は、カラオケ用の楽曲の選択を実行する。たとえば、神経心理検査２１０における「記憶」の結果に基づいて、患者の世代、性別に合った曲が選択される。たとえば、神経心理検査２１０の結果、記憶機能に改善の兆しがみられるならば、当該患者の世代にとっての流行歌とされる他の楽曲が選択される。
【００３１】
また、神経心理検査２１０における「注意」についての検査結果に応じて、合唱曲、デュエット曲の導入も考慮される。合唱曲あるいはデュエット曲を歌唱する場合には、他者の歌唱を考慮する必要がある。そこで、注意力の程度に応じて、難易度が異なる合唱曲あるいはデュエット曲が選択される。
【００３２】
モジュール２４０は、たとえば、ＹＵＢＡメソッドを実行する。ＹＵＢＡメソッドは、裏声と表声を分離・強化・融合し、音源生成の運動と調音運動をロスなく協調させ短時日で効率よく発声・発音能力を向上させるボイストレーニング法である。また、神経心理検査２１０における「意欲」についての検査結果に応じて、音域または声量アップのトレーニングが規定される。たとえば、「意欲」が改善していると認められる場合には、音域または声量という点で、さらに努力が必要とされるような楽曲が選択される。ＹＵＢＡメソッド自体は、当業者にとって周知であるので、さらに詳細な説明は述べない。
【００３３】
モジュール２５０は、神経心理検査２１０における「ＢＰＳＤ」の検査結果に応じて、穏やかで明るい曲の選択を実行し、または、静かな曲調への編曲を実行する。ＢＰＳＤは、認知症における「周辺症状」に重なる概念である。ＢＰＳＤは、行動症状と心理症状とを含む。行動症状および審理症状の観察の結果、症状に変更が見られない場合には、より穏やかで明るい曲が選択され、または、より静かな曲調に編曲される。症状に改善の兆しがみられる場合には、従前よりも力強い曲が選択され得る。あるいは、曲調は、通常の曲調に設定され得る。
【００３４】
プログラム２２０による選択の結果は、施行のために、楽曲の配信という形で、患者の自宅１２０に配置されたカラオケ装置およびリハビリセンター１４０に配置されたカラオケ装置に送信される。患者２００は、カラオケ装置に配信された楽曲を用いて歌唱する。
【００３５】
（メニュー例とトレーニング結果の一例）
一例として、最初に、医師が、１サイクル目の楽曲として楽曲Ａを選定して患者のトレーニングに用いる場合を想定する。楽曲Ａの音域幅は、音域幅ＲＡであり、音程は音程ＩＡである。トレーニングのサイクルは、たとえば、１週間、２週間、１か月等、医師によって任意に設定され得る。
【００３６】
＜１サイクル目＞
（ステップ１）患者は、自宅のカラオケ装置に配信された楽曲Ａを使って歌唱する。その結果、たとえば、音域幅Ｒａ（１）および音程Ｉａ（１）がデータとして取得され得る。歌唱の頻度は、たとえば、一週間に３回であるが、頻度は特に限られない。４回あるいは毎日であってもよい。少なくとも、複数回数の歌唱が行なわれることが望ましい。
【００３７】
（ステップ２）患者は、リハビリセンター１４０に配信された楽曲Ａを使って歌唱する。その結果、たとえば、音域幅ｒａ（１）および音程ｉａ（１）がデータとして取得され得る。リハビリセンター１４０における歌唱の頻度は、たとえば、週に一回であるが、これに限られない。週に二回以上でもよい。
【００３８】
（ステップ３）プログラム２２０は、音域幅の差分ΔＨおよびΔＲを計算する。
差分ΔＨ＝ＲＡ−Ｒａ（１）
差分ΔＲ＝ＲＡ−ｒａ（１）
（ステップ４）ΔＨ＞ΔＲである場合、すなわち、自宅での練習結果よりもリハビリセンターでの練習結果が良好である場合、患者の認知症の症状は改善している可能性があると推定され得る（定量的判断）。そして、医師は、数か月単位で神経心理検査２１０を実施し、神経心理検査２１０の結果を考慮し、その結果についても改善の傾向がみられると判断すると、患者の認知症は改善していると判断し得る（定性的判断）。この場合、プログラム２２０は、医師の操作に基づき、次サイクルにおける練習用の楽曲として、楽曲Ａに代えて新たな楽曲Ｂを選択する。
【００３９】
（ステップ５）一方、ΔＨ＜ΔＲである場合、すなわち、自宅での練習結果の方がリハビリセンターでの練習結果よりも良好である場合、患者の認知症の症状は改善していると考えられない（定量的判断）。この場合、医師は、次週の練習曲としては、現在の楽曲Ａが妥当と判断し得る（定性的判断）。あるいは、ΔＨとΔＲとの差分が予め規定された変動幅よりも著しく大きい場合、医師は、楽曲Ａが当該患者にとって適切ではないと判断し得る。この場合、医師は、次サイクルの練習曲として楽曲Ｃを選択し得る。楽曲Ｃは、楽曲Ａに対して、音程あるいは音域幅の点で、歌唱が容易であると考えられる楽曲である。
【００４０】
（ステップ６）認知症改善装置１００は、医師が次のサイクルの練習曲として指定した楽曲を、患者の自宅１２０およびリハビリセンター１４０に配信する。
【００４１】
＜２サイクル目＞
患者は、上記（ステップ１）および（ステップ２）と同様に指定された楽曲を歌唱する。認知症改善装置１００は、ステップ３の処理を実行し、各差分を計算し、計算結果を提示する。ステップ４またはステップ５として、差分の計算結果に基づく定性的な判断が、認知症改善装置１００に表示される。認知症改善装置１００には、医師による神経心理検査２１０の結果が入力される。認知症改善装置１００は、差分の計算結果と神経心理検査２１０の結果とに基づいて、すなわち、上記の定量的判断の結果と定性的判断の結果とに基づいて、次のサイクルにおけるトレーニングのための楽曲の候補を表示する。医師は、表示される候補を選択する。認知症改善装置１００は、選択結果に応じて楽曲のデータを患者の自宅１２０およびリハビリセンター１４０に配置されたカラオケ装置に配信する。
【００４２】
以降も、同様の処理が行なわれる。なお、上記の例では、音域幅が用いられたが、音程が用いられてもよい。
【００４３】
［認知症改善装置における処理フロー］
図３を参照して、本実施の形態に係る認知症改善装置１００を用いた処理フローについて説明する。図３は、認知症改善装置１００を用いて認知症患者のトレーニングを行なう場合に用いられる処理を表わすフローチャートである。
【００４４】
ステップＳ３１０にて、認知症改善装置１００は、会員登録を受け付ける。具体的には、認知症改善装置１００は、認知症の改善の対象となる患者を会員として受け付け、個人データベース１０６に会員情報を格納する。
【００４５】
ステップＳ３２０にて、認知症改善装置１００は、入力部１０２を介して、医師が新たに実施した神経心理検査試験の結果の入力を受け付ける。神経心理検査試験の結果は、検査結果データベース１０５に格納される。神経心理検査２１０は適宜実施される。実施の間隔は、たとえば、数か月ごとであるが、この間隔は、医師の判断によって変更可能である。
【００４６】
ステップＳ３３０にて、会員（患者）は、リハビリセンター１４０において、予め準備された楽曲を用いてカラオケの練習を行なう。その結果は、ネットワーク１５０を介して通信部１０１に送られる。さらに、その練習の結果を表わすデータ（患者の歌唱を格納したデータ）は、個人データベース１０６に格納される。なお、リハビリセンター１４０におけるカラオケの練習の頻度は、標準としては、たとえば、週に１回であるが、これに限られない。頻度は、会員の状況を観察する医師の判断によって、あるいは、会員の要請によって変更可能である。
【００４７】
ステップＳ３４０にて、認知症改善装置１００は、メニュー作成部１０４において、その患者についての楽曲のトレーニングメニューを作成する。
【００４８】
ステップＳ３５０にて、会員（患者）は、患者の自宅１２０において、認知症改善装置１００によって作成されたメニューに含まれる楽曲を用いてカラオケの練習を行なう。練習の結果（歌唱を保存したデータ）は、ネットワーク１３０を介して通信部１０１に送られる。認知症改善装置１００は、その結果を個人データベース１０６に保存する。なお、患者の自宅１２０におけるカラオケの練習の頻度は、標準としては、たとえば、週に３回であるが、これに限られず、週に３回以上でも以下でもよい。頻度は、医師の判断によって、あるいは、患者の要請によって変更可能である。
【００４９】
また、患者の自宅１２０における練習の対象となる楽曲の種類と数は、リハビリセンター１４０において練習の対象となる楽曲の種類と数と同じであってもよいし、異なってもよい。
【００５０】
ステップＳ３６０にて、認知症改善装置１００は、個人データベース１０６に格納されているリハビリセンター１４０における練習の結果（ステップＳ３３０）と、患者の自宅１２０における練習の結果（ステップＳ３５０）とに基づいて、会員の歌唱力の能力を評価する。
【００５１】
なお、図３に示されるフローチャートにおいて、神経心理検査（ステップＳ３２０）と、センター練習（ステップＳ３３０）と、メニュー作成（ステップＳ３４０）と、自宅練習（ステップＳ３５０）とが行なわれる順序は、図３に示される順序に限られない。その他の順序で各処理が行なわれてもよい。たとえば、メニュー作成は、センター練習（ステップＳ３３０）の前に行なわれてもよい。
【００５２】
また、自宅練習が行なわれる複数の日のいずれかと、センター練習が行なわれる日とは、同一であってもよく、異なってもよい。たとえば、週に３回の自宅練習が月曜日、水曜日、金曜日に行なわれる場合、週に１回のセンター練習は、月曜日から金曜日のいずれであってもよい。
【００５３】
［ハードウェア構成］
図４を参照して、本実施の形態に係る認知症改善装置１００の構成について説明する。図４は、認知症改善装置１００として機能するコンピュータのハードウェア構成を表わすブロック図である。
【００５４】
コンピュータによって実現される認知症改善装置１００は、主たる構成要素として、プログラムを実行するＣＰＵ（Central  Processing  Unit）１と、認知症改善装置１００のユーザによる指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信ＩＦ（Interface）７とを備える。各構成要素は、相互にバスによって接続されている。光ディスク駆動装置６には、ＣＤ−ＲＯＭ９その他の光ディスクが装着される。通信ＩＦ７は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００５５】
認知症改善装置１００における処理は、そのハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信ＩＦ７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００５６】
図４に示される認知症改善装置１００を実現するコンピュータの各構成要素は、一般的なものである。したがって、本実施の形態に係る最も本質的な部分は、当該コンピュータに格納されたプログラムであるともいえる。コンピュータのハードウェアの動作は周知であるので、詳細な説明は繰り返さない。
【００５７】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００５８】
ここでいうプログラムとは、ＣＰＵにより直接実行可能なプログラムだけでなく、ソースプログラム形式のプログラム、圧縮処理されたプログラム、暗号化されたプログラム等を含み得る。
【００５９】
［機能構成］
図５を参照して、認知症改善装置１００の構成についてさらに説明する。図５は、認知症改善装置１００によって実現される機能の構成を表わすブロック図である。認知症改善装置１００は、配信部５１０と、収集部５２０と、記憶部５３０と、評価部５４０と、入力部５５０と、選択部５６０とを備える。
【００６０】
配信部５１０は、認知症の改善のために用いられる楽曲、たとえば、カラオケ用の楽曲を、患者の自宅１２０またはリハビリセンター１４０に配置されるカラオケ装置８５０にインターネットを介して配信する。配信は、たとえば、認知症改善装置１００のユーザの配信指示に基づいて、カラオケ装置８５０のユーザからの配信要求に基づいて、あるいは、定期的に行なわれる。
【００６１】
収集部５２０は、カラオケ装置８５０から送られる音声データを受信する。この音声データは、カラオケ装置８５０のユーザである患者が楽曲を歌唱することによって入力された音声を、予め規定されたフォーマットに変換することによって得られる。当該フォーマットは、たとえば、ｍｐ３（MPEG-1（Moving  Picture  Experts  Group）  Audio  Layer 3）、ｗａｖフォーマットなどであるが、その他のフォーマットが用いられてもよい。音声データは、認知症改善装置１００において保持される。
【００６２】
記憶部５３０は、収集部５２０によって集められた音声データと、各楽曲についての教示データとして予め準備されている音声データとを格納する。
【００６３】
評価部５４０は、同一の楽曲について、教示データと、カラオケ装置８５０から送られた歌唱に基づく音声データとを比較して、当該歌唱の内容を評価する。評価項目は、たとえば、教示データの音程と当該音声データの音程との差、歌唱の進行速度と教示データによる楽曲の進行速度との差などであるが、これらに限られない。
【００６４】
入力部５５０は、認知症改善装置１００のユーザによる入力を受け付ける。入力部５５０は、たとえば、キーボード、マウス、タッチパネルその他の入力装置として実現される。
【００６５】
選択部５６０は、入力部５５０を介して入力される選択指示に基づいて、記憶部５３０に格納されている複数の楽曲の中から、患者ごとに楽曲を選択し、当該患者のためのトレーニングメニューに当該選択された曲を含める。この選択された曲が含まれたトレーニングメニューは、配信部５１０を介してカラオケ装置８５０に送信される。
【００６６】
［データ構造］
（個人データベース１０６）
図６を参照して、本実施の形態に係る認知症改善装置１００のデータ構造について説明する。図６は、認知症改善装置１００の個人データベース１０６におけるデータの格納の一態様を概念的に表わす図である。
【００６７】
個人データベース１０６は、番号６１０と、氏名６２０と、年齢６３０と、性別６４０と、教育年数６５０とを含む。番号６１０と氏名６２０と年齢６３０と性別６４０と教育年数６５０とは、互いに関連付けられている。個人データベース１０６は、たとえば、認知症の診察を行なう医療機関のカルテその他のデータベースから作成される。
【００６８】
なお、個人データベース１０６における各データ項目の関連付けは、図６に示されるものに限られない。たとえば、複数のデータベースにわたってそれぞれのデータが格納されて関連付けられる構成が用いられてもよい。
【００６９】
（楽曲データベース１０８）
図７は、楽曲データベース１０８の構成を表わす図である。楽曲データベース１０８は、ＩＤ７１０と、タイトル７２０と、ジャンル７３０と、リリース年７４０と、対象７５０とを含む。ＩＤ７１０は、楽曲データベース１０８に格納されている楽曲を識別する。タイトル７２０は、当該楽曲のタイトルである。ジャンル７３０は、当該楽曲の種類を示す。リリース年７４０は、当該楽曲が公表された年あるいは年代を表わす。対象７５０は、当該楽曲が歌唱されることを想定される年代を表わす。対象７５０は、楽曲の管理を行なう団体あるいは専門家によって変更されてもよい。
【００７０】
［カラオケ装置］
図８を参照して、患者の自宅１２０またはリハビリセンター１４０において用いられる設備について説明する。図８は、テレビ８１０とカラオケ装置８５０とを表わす図である。
【００７１】
ある局面において、認知症改善装置１００を用いた治療を受ける患者は、当該患者の自宅１２０において、カラオケ装置８５０をテレビ８１０に接続する。テレビ８１０は、モニタ８２０と、スピーカ８３０とを備える。
【００７２】
カラオケ装置８５０は、音声入力インターフェイス８５１と、受信インターフェイス８５２と、メモリ８５３と、操作パネル８５４と、プロセッサ８５５と、音声出力インターフェイス８５６と、画像出力インターフェイス８５７とを備える。音声入力インターフェイス８５１には、マイク８４０が接続される。受信インターフェイス８５２には、ネットワーク１３０が接続される。音声出力インターフェイス８５６は、テレビ８１０の音声信号入力端子（図示しない）を介して、スピーカ８３０に接続される。画像出力インターフェイス８５７は、テレビ８１０の映像信号入力インターフェイス（図示しない）を介して、モニタ８２０に接続される。
【００７３】
ある局面において、カラオケ装置８５０は、ネットワーク１３０を介して認知症改善装置１００から配信される楽曲を受信する。受信された楽曲は、メモリ８５３に格納される。メモリ８５３は、たとえば、ハードディスク装置またはフラッシュメモリである。
【００７４】
操作パネル８５４は、カラオケ装置８５０のユーザ（たとえば、患者あるいは患者の家族）による操作を受け付ける。その操作に応じた信号は、プロセッサ８５５に送られる。
【００７５】
プロセッサ８５５は、カラオケ装置８５０のユーザによる操作に応じて選択された楽曲に対応する音声データをメモリ８５３から取り出し、音声データを音声出力インターフェイス８５６に送信する。画像が楽曲に含まれている場合には、プロセッサ８５５は、画像信号を画像出力インターフェイス８５７に送信する。
【００７６】
音声入力インターフェイス８５１は、マイク８４０に対して発話された音声の入力を受け付けて、その信号を音声出力インターフェイス８５６に送出する。画像が楽曲に含まれる場合には、音声出力インターフェイス８５６は、楽曲の音声と患者の発話音声とを合成して、その合成によって生成された信号をテレビ８１０に送信する。
【００７７】
画像出力インターフェイス８５７は、楽曲の画像をテレビ８１０のモニタ８２０に送信する。
【００７８】
テレビ８１０は、カラオケ装置８５０から送られた音声信号に基づく音声をスピーカ８３０を介して出力する。モニタ８２０は、楽曲に含まれる画像（たとえば風景、歌詞など）を表示する。
【００７９】
さらに他の局面において、カラオケ装置８５０が認知症改善装置１００に対してデータ送信機能を有する場合には、カラオケ装置８５０は、認知症改善装置に対してユーザが発話した音声を送信してもよい。
【００８０】
［構成例］
一実施の形態に従う認知症改善装置１００において、ＣＰＵ１は、通信ＩＦ７を介して、第１の場所（たとえば患者の自宅１２０）に配置される第１の音声入出力装置（たとえばカラオケ装置８６０）と、第２の場所（たとえばリハビリセンター１４０）に配置される第２の音声入出力装置（たとえばカラオケ装置８７０）とに同一の楽曲を配信する。
【００８１】
ＣＰＵ１は、通信ＩＦ７を介して、第１の音声入出力装置に配信される楽曲に合わせてユーザ（たとえば、認知症の治療を受けている患者）が歌唱することにより発せられる第１音声と、第２の場所に配信される楽曲に合わせて当該ユーザが歌唱することにより発せられる第２音声とを収集する。
【００８２】
ハードディスク５は、同一の楽曲に対するユーザの歌唱力を評価するために予め規定された評価基準を保持している。
【００８３】
ＣＰＵ１は、当該評価基準と第１音声および第２音声とに基づいて、楽曲に対するユーザの歌唱力を評価する。たとえば、ＣＰＵ１は、第１音声と、音程あるいは歌唱スピード等について当該評価基準として予め準備されている標準の音声との差分Ａを導出する。また、ＣＰＵ１は、第２音声と当該標準の音声との差分Ｂを導出する。ＣＰＵ１は、差分Ａと差分Ｂとの差を算出し、その差が、前回算出したときの差とどの程度変化しているかを判断する。
【００８４】
通信ＩＦ７は、さらに、医師が数か月単位で実施する神経心理検査結果の入力を受け付ける。入力された結果は、ハードディスク５に格納される。
【００８５】
ＣＰＵ１は、神経心理検査の結果の変化の有無に応じて、評価の結果に基づいて、楽曲データベース１０８から、ユーザが歌唱するべき別の楽曲を選択する。ＣＰＵ１は、通信ＩＦを介して、選択された別の楽曲を第１の音声入出力装置および第２の音声入出力装置に配信する。
【００８６】
好ましくは、評価基準は、音域および音程を含む。神経心理検査の結果の変化が認められる場合に、ＣＰＵ１は、音域および音程に基づいて、別の楽曲を選択する。たとえば、ＣＰＵ１は、求められる音域および音程について、これまでのトレーニングにおいて用いられていた楽曲において求められる音域および音程よりも広い幅が求められる音域および音程を有する楽曲を選択する。このような選択のために、楽曲データベース１０８は、ある局面において、楽曲ごとに、音域および音程の幅を示すデータが関連付けられている。
【００８７】
好ましくは、楽曲データベース１０８は、ユーザの世代、性別に応じて予め分類された第１分類の楽曲と、一人による歌唱のための楽曲、デュエットのための楽曲、または合唱のための楽曲として分類される第２分類の楽曲とのいずれかを含む。
【００８８】
好ましくは、神経心理検査の項目は、記憶検査と、注意力検査と、行動心理障害検査（ＢＰＳＤ（Behavioral  and  Psychological  Symptoms  of  Dementia））とを含む。記憶検査の結果は、第１分類の楽曲に関連付けられている。注意力検査の結果は、第２分類の楽曲に関連付けられている。行動心理障害検査の結果は、穏やかで明るい曲を選曲することに、または、楽曲を静かな曲調の楽曲に編曲することに関連付けられている。
【００８９】
好ましくは、楽曲は、カラオケの楽曲を含む。しかしながら、楽曲は、カラオケに限られない。たとえば、楽曲の購入という形で著作権が適切に考慮されているならば、実際の歌手の楽曲が配信されてもよい。その場合、カラオケ装置において、歌声の音量が可変であってもよい。
【００９０】
ここで、各カラオケ装置と認知症改善装置１００の動作について説明する。
（患者の自宅１２０に配置されたカラオケ装置８６０の動作）
ステップ１：  ある局面において、カラオケ装置８６０のプロセッサ８５５は、モニタ８２０において、患者の名前またはＩＤの入力を受け付ける画面をモニタ８２０に表示する。患者または介護者は、操作パネル８５４を操作して、自分の名前またはＩＤを選択する。
【００９１】
ステップ２：  プロセッサ８５５は、入力された患者の名前またはＩＤに基づいて、認知症改善装置１００から配信された楽曲をメモリ８５３から読み出して、再生する。あるいは、他の局面において、プロセッサ８５５は、入力された患者の名前またはＩＤを認知症改善装置１００に送信して、当該患者のための楽曲の配信を要求し、その要求に応答して配信された楽曲を再生してもよい。
【００９２】
ステップ３：  プロセッサ８５５は、音声出力インターフェイス８５６を介してスピーカ８３０にカラオケの楽曲の音声を出力し、画像出力インターフェイス８５７を介して、モニタ８２０に映像を表示する。
【００９３】
ステップ４：  患者は、マイク８４０を用いて楽曲に合わせて歌唱する。
ステップ５：  プロセッサ８５５は、カラオケ装置８５０に入力された音声のデータを歌唱日時に関連付けてメモリ８５３に保存する。
【００９４】
ステップ６：  その後、プロセッサ８５５は、認知症改善装置１００への送信タイミングとして予め設定されたタイミングの到来を検知すると、メモリ８５３に保存されている患者の歌唱による音声のデータを認知症改善装置１００に送信する。
【００９５】
（リハビリセンター１４０に配置されたカラオケ装置８７０の動作）
ステップ７：  リハビリセンター１４０において、上記患者は、カラオケ装置８７０に対して、ステップ１における操作と同様の操作を行なう。
【００９６】
ステップ８：  カラオケ装置８７０のプロセッサ８５５は、ステップ２および３を実行する。
【００９７】
ステップ９：  患者は、ステップ４と同様の操作を行なう。
ステップ１０：  プロセッサ８５５は、ステップ５および６を実行する。
【００９８】
（認知症改善装置１００の動作）
ステップ１１：  ＣＰＵ１は、カラオケ装置８６０から送られた音声のデータと、カラオケ装置８７０から送られた音声のデータとを用いて、当該患者の歌唱能力の変化の度合いを検出する。その後、上述の神経心理検査２１０の結果に基づいて、プログラム２２０によって楽曲が再度選定される。
【００９９】
＜第２の実施の形態＞
以下、本発明の第２の実施の形態について説明する。本実施の形態に係る認知症改善装置１００は、第１の実施の形態に係る認知症改善装置１００のハードウェア構成を用いて実現され得る。したがって、ハードウェア構成の説明は繰り返さない。
【０１００】
なお、以下の例では、自宅１２０に配信される楽曲と、リハビリセンター１４０に配信される楽曲とが同じ場合が示されているが、楽曲は常に同じである必要はなく、異なる楽曲が配信されてもよい。たとえば、自宅１２０に配信される楽曲の数が、リハビリセンター１４０に配信される楽曲の数よりも多くてもよい。この場合、ユーザは、自宅１２０においていろいろなカラオケの楽曲を歌唱し、リハビリセンター１４０では、そのうちのいくつかの楽曲を歌唱してもよい。
【０１０１】
あるいは、別の局面において、自宅１２０に配信される楽曲の数が、リハビリセンター１４０に配信される楽曲の数よりも少なくてもよい。この場合、ユーザは、自宅１２０においてカラオケの楽曲を歌唱し、リハビリセンター１４０において、新たな楽曲を歌唱するというリハビリトレーニングの形態が取られてもよい。
【０１０２】
［制御構造］
図９を参照して、本実施の形態に係る認知症改善装置１００の制御構造について説明する。図９は、認知症改善装置１００が実行する処理の一部を表わすフローチャートである。
【０１０３】
ステップＳ９００にて、認知症改善装置１００のＣＰＵ（Central  Processing  Unit）１は、予め登録されたユーザ（患者）について医師によって行なわれた神経心理検査２１０の結果を表すデータの入力を受け付けて、ハードディスク５に保存する。
【０１０４】
ステップＳ９１０にて、ＣＰＵ１は、医師の入力に基づいて、当該患者の初期のトレーニングメニューを作成する。一例として、当該トレーニングメニューは、カラオケの楽曲、発声練習の対象となる音声、発声練習のパターン、発声が行なわれる時間等を含むが、その他の項目が含まれてもよい。
【０１０５】
ステップＳ９１０にて、ＣＰＵ１は、配信部５１０として、通信インターフェイス７を介して、トレーニングメニューに含まれている楽曲（たとえばカラオケ曲）をユーザの自宅１２０に配置された第１のカラオケ装置（たとえば、カラオケ装置８６０）に配信する。当該ユーザは、認知症の治療の支援を受ける患者として予め医療機関に登録されたユーザである。ある局面において、患者は、認知症改善装置１００のユーザとして登録されると、医師による神経心理検査を受ける。神経心理検査の結果は、患者の個人データベースとして保存される。カラオケ装置８６０は、その楽曲をメモリ８５３に格納する。楽曲の配信のタイミングは特に限られない。たとえば、楽曲は、認知症改善装置１００の管理者（医師）による配信指示に基づいて行なわれる。他の局面において、楽曲の配信は、ユーザ（患者）による配信要求に応答して、あるいは、認知症改善装置１００において運用前に予め設定されたタイミングに基づいて定期的に行なわれてもよい。
【０１０６】
ステップＳ９１５にて、ＣＰＵ１は、配信部５１０として、通信インターフェイス７を介して、トレーニングメニューに含まれている楽曲を、リハビリセンター１４０に配置された第２のカラオケ装置（カラオケ装置８７０）に配信する。リハビリセンター１４０において、カラオケ装置８７０は、その楽曲をメモリ８５３に格納する。なお、配信のタイミングは特に限られず、ステップＳ９１０における配信のタイミングと同様に、様々なタイミングで楽曲は配信され得る。なお、カラオケ装置８６０（自宅）に配信される楽曲と、カラオケ装置８７０（リハビリセンター１４０）に配信される楽曲とは、同一であってもよく、また、異なってもよい。少なくとも、トレーニングメニューに含まれる楽曲が、カラオケ装置８５０またはカラオケ装置８７０に配信されればよい。
【０１０７】
ステップＳ９２０にて、ユーザは、自宅１２０にて、カラオケの練習を行なう。練習の頻度は、たとえば、週に３回程度が好ましいが、練習の頻度は、週に３回より多くてもよいし、３回より少なくてもよい。ＣＰＵ１は、収集部５２０として、ネットワーク１３０を介して、患者の自宅１２０に配置されているカラオケ装置８６０から、配信された楽曲に応じて発声された第１音声を受信して、その音声を個人データベース１０６において当該ユーザ（患者）に関連付けて格納する。音声と練習が行なわれた日付とは、個人データベース１０６において関連付けられて保存される。
【０１０８】
ステップＳ９２５にて、ＣＰＵ１は、評価部５４０として、第１音声の音程と音域とを分析して、分析結果を検査結果データベース１０５に保存する。
【０１０９】
ステップＳ９３０にて、ユーザは、リハビリセンター１４０において、カラオケ装置８７０を用いてカラオケを練習する。練習の頻度は、たとえば、週に１回程度が好ましいが、練習の頻度は、週に２回より多くてもよい。ＣＰＵ１は、収集部５２０として、通信インターフェイス７を介してリハビリセンター１４０に配置されているカラオケ装置８７０から当該楽曲に応じて発声された第２音声を受信して、その第２音声を当該ユーザ（患者）に関連付けて個人データベース１０６に保存する。音声と練習が行なわれた日付とは、個人データベース１０６において関連付けられて保存される。
【０１１０】
ステップＳ９３５にて、ＣＰＵ１は、評価部５４０として、第２音声の音程と音域とを分析して、分析結果を検査結果データベース１０５としてハードディスク５に保存する。
【０１１１】
ステップＳ９４０にて、ＣＰＵ１は、評価部５４０として、当該楽曲に対するユーザの歌唱力を評価して、評価結果をハードディスク５に保存する。
【０１１２】
ステップＳ９４５にて、ＣＰＵ１は、通信インターフェイス７を介して、医師によって行なわれた神経心理検査の結果を表わすデータの入力を受け付ける。神経心理検査は、たとえば、数か月ごとに行なわれる。入力された検査結果は、検査結果データベース１０５としてハードディスク５に保存される。
【０１１３】
ステップＳ９５０にて、ＣＰＵ１は、ステップＳ９４５において入力された神経心理検査の結果と、それ以前に保存されている同じ神経心理検査についての結果とを比較して、今回の神経心理検査の結果が変化したか否かを判断する。ＣＰＵ１は、神経心理検査の結果が変化したと判断すると（ステップＳ９５０にてＹＥＳ）、制御をステップＳ９６０に切り換える。そうでない場合には（ステップＳ９５０にてＮＯ）、ＣＰＵ１は制御をステップＳ９７０に切り換える。
【０１１４】
ステップＳ９６０にて、ＣＰＵ１は、新たなトレーニングメニューを作成する医師の入力に基づいて、ハードディスク５に保存されている楽曲データベース１０８から、検査結果に基づいて他の楽曲を選択する。その選択結果に基づいて、ＣＰＵ１は、再び楽曲を患者の自宅１２０およびリハビリセンター１４０に配信する（ステップＳ９１０、ステップＳ９１５）。これにより、患者は、新たなトレーニングメニューに含まれる楽曲等を用いて、発声練習を継続することができる。新たなトレーニングメニューに含まれる楽曲は、患者の認知症の改善に応じて選択されるため、患者は、カラオケ練習に対する興味を失うことなく、認知症の改善のためのトレーニングを継続できる。
【０１１５】
ステップＳ９７０にて、ＣＰＵ１は、現在の楽曲での検査を継続するようにアドバイスを出力する。たとえば、モニタ８は、その旨のアドバイスを表わすメッセージを表示する。他の局面において、認知症改善装置１００は、その旨のアドバイスを診察結果としてプリントアウトしてもよく、あるいは、音声で出力してもよい。
【０１１６】
［訓練前後の結果］
図１０を参照して、本実施の形態に係る認知症改善装置１００を用いた訓練の結果について説明する。図１０は、ｆＭＲＩ（functional  Magnetic  Resonance  Imaging）検査によって得られた患者の脳の断層画像を表す図である。
【０１１７】
認知症の患者を診察する医師は、カラオケの歌唱を用いたトレーニングの前後において当該患者の脳の断層写真を検査して、認知症に固有の部位の変化を調べる。この変化量の有無あるいは大小によって、当該患者の認知症の改善度が把握され得る。
【０１１８】
画像としては、たとえば、左舌状回前部の画像、または、右角回の画像が用いられる。左舌状回前部は、視覚情報の処理、または、画面情報の知覚もしくは認知についての役割を持っているといわれている。角回は、言語、認知等に関連する処理についての役割を持っているといわれている。この処理には、たとえば、視覚情報と聴覚情報の統合が含まれる。この統合は、たとえば、本実施の形態については、カラオケ画面と伴奏や自らの歌唱の音の情報を統合することを含む。
【０１１９】
＜実施の形態のまとめ＞
以上のようにして第１の実施の形態または第２の実施の形態によると、複数の場所において同一の楽曲（たとえばカラオケ）の歌唱の音声データを用いて歌唱能力の変化が評価される。その評価結果と神経心理結果とに基づいて、次に歌うべき楽曲が選択される。選択される楽曲は、これまでの楽曲の場合もあれば、音程あるいは音域という点で難易度が高い楽曲もあり得る。患者は選択された楽曲を歌唱する。このようにすると、カラオケという興趣が患者にもたらされるので、患者は、歌唱を楽しみながら、意欲あるいは発声その他の実行機能を高めることができる。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２１】
１  ＣＰＵ、２  マウス、３  キーボード、４  ＲＡＭ、５  ハードディスク、６  光ディスク駆動装置、７  通信インターフェイス、８，８２０  モニタ、９  ＣＤ−ＲＯＭ、１００  認知症改善装置、１０１  通信部、１０２，５５０  入力部、１０３  能力段階評価部、１０４  メニュー作成部、１０５  検査結果データベース、１０６  個人データベース、１０７  メニューデータベース、１０８  楽曲データベース、１１０  結果、１２０  患者の自宅、１３０，１５０  ネットワーク、１４０  リハビリセンター、２００  患者、２１０  神経心理検査、２２０  プログラム、２３０  カラオケ、２４０  メソッド、２５０  領域、５１０  配信部、５２０  収集部、５３０  記憶部、５４０  評価部い、５６０  選択部、８４０  マイク、８５０  カラオケ装置、８５１  音声入力インターフェイス、８５２  受信インターフェイス、８５３  メモリ、８５４  操作パネル、８５５  プロセッサ、８５６  音声出力インターフェイス、８５７  画像出力インターフェイス、８６０  第１のカラオケ装置、８７０  第２のカラオケ装置。
【図１】
2015051124.tif 000003
【図２】
2015051124.tif 000004
【図３】
2015051124.tif 000005
【図４】
2015051124.tif 000006
【図５】
2015051124.tif 000007
【図６】
2015051124.tif 000008
【図７】
2015051124.tif 000009
【図８】
2015051124.tif 000010
【図９】
2015051124.tif 000011
【図１０】
2015051124.tif 000012